(57)【要約】【課題】  路上を走る自転車の車輪回転を利用して、走行しながら歩道のゴミを拾う、バキューム式バキューム式路上ゴミ収集器を作る。自転車で買い物や通勤通学しながら知らないうちにゴミ収集ができ、またいちいち自転車を降りることもなくゴミを拾う装置をつくる。【解決手段】  自転車の車輪半径以上の円筒の、両断面の中心部分を開口して回転軸受２、２´を設置する。次に円筒の長さより若干長い心棒３を、一方の回転軸受２より頭を出してバキューム筒１０の本体をつくる。バキューム筒１０はフィルター壁６によって、ファン室９と集塵室４の二室に区切られる。バキューム筒１０から頭を出した心棒３を、地面より少し高い位置でタイヤ１に接輪させると、心棒３に繋がれるファン１４が高速で回転しファン室９の空気を排出し、よってバキューム筒１０内を減圧して、外気と共に路上のゴミを集塵室４に集める。【選択図】図１
2015057335.tif 000002
【特許請求の範囲】
【請求項１】
自転車の車輪回転を利用する、円筒バキューム式の路上ゴミ収集器において、
両端を閉じた円筒は、ほぼ自転車の車輪半径の長さで、この円筒の両断面の中心部分を開口して回転軸受２、２´を設置し、
回転軸受２、２´間に、円筒の長さプラス自転車のタイヤ１巾分の長さを持つ心棒３を、一方の回転軸受２に頭を出して設置し、バキューム筒１０とその中の心棒３をつくり、
バキューム筒１０内部の構築として、筒内を二分する円形のフィルター壁６を心棒３と直角に交差して置き、これをバキューム筒１０の内壁に設置するが、フィルター壁６は中心部に中心孔５を開口して、フィルター壁６は心棒３に触れずに設置し、
フィルター壁６と適宜の間隔をとった心棒３上に、フィルター壁６と平行に置いて、バキューム筒１０内を回転するファン１４を、少なくとも一基以上、心棒３に軸着して設置し、
フィルター壁６を境として、上記ファン１４を取り付けた側はファン室９であるが、その一か所を開口して排気口１５を設置し、
フィルター壁６を境として、上記ファン室９と反対側は集塵室４であるが、その二か所を開口して、吸気ダクト１２及びゴミ出し口１３を設置し、
自転車本体への接続具である伸縮接続具７を、バキューム筒１０が車輪ハブ２２と接する部位に設置する、
以上のような構造で、自転車のタイヤ１の回転を、バキューム筒１０の中のファン１４の高速回転に結ぶことを特徴とする、路上ゴミ収集器
【請求項２】
自転車の車輪回転を利用する、円筒ブラシ式の路上ゴミ収集器において、
両端を閉じた円筒の長さは、自転車の車輪ハブ２２の長さ以上があり、この両サイドの断面の中央を貫いて、両サイド円筒で頭を出す心棒３を、両サイドに渡して固定し、
円筒の胴部分にゴミ出し入れ口１７を開口し、且つその周囲にブラシ２１を植え付けて、ブラシ筒１６をつくり、
ブラシ筒１６から頭を出した両サイドの心棒３を、自転車本体への接続具である左右の車体接続バー２０に設置するが、設置個所には回転軸受２を埋め込んでおり、上記回転軸受２に心棒３を回転自由に軸着する、
以上のような構造で、自転車のタイヤ１の回転を、ブラシ筒１６の逆回転に変えることを特徴とする、路上ゴミ収集器
【発明の詳細な説明】
【技術分野】
【００１】  本発明は特に自転車で、またその他ではシルバーカーや車椅子などにつけて、その車輪回転を利用して歩道のゴミを収集する装置に関するものである。乗り物に乗りながら、知らないうちに道路清掃するよう工夫をこらしたしたものである。
【背景技術】
【００２】  今までに、自転車の車輪につけて道路ゴミを収集する器具はない。唯一あるのは、自転車の車輪につけて、自転車の車輪を磨くものがある。
【先行技術文献】
【特許文献】
【００３】
【特許文献１】特開２００１−１７１５８４  自転車の車輪掃徐具
【特許文献２】特開平１１−３４２８８２  自転車用車輪磨きブラシ
【発明の概要】
【発明が解決しようとする課題】
【００４】  本発明は、歩道をよく使う自転車と道路清掃を結びつけて、次の課題を解決する。
（１）歩道など公衆の場からゴミを減らす社会貢献を、そこを頻繁に使う自転車にも担っ      てほしい。
（２）自転車を降りることなく、走行しながらゴミを拾いたい。
（３）特に意識することなくても、すなわち通勤通学や買い物や遊びをしている間にも、      知らず知らずのうちに道路清掃したい。
【課題を解決するための手段】
【００５】  これ等の課題を解決するため請求項１では、自転車など乗り物の車輪回転を利用して、バキューム式の路上ゴミ収集器をつくる。円筒内にファンを装着すると、ファンは自転車など乗り物の車輪（タイヤ）と接して高速で廻り、筒内の空気を外に排出する。この空気の流れ（バキューム）をもって、路上のゴミを拾うのである。【００６】  課題を解決するため、請求項２では、自転車など乗り物の車輪回転を利用して、ブラシ式の路上ゴミ収集器をつくる。円筒にブラシを装着すると、円筒は乗り物の車輪（タイヤ）と接輪して逆回転で廻り、ブラシが路上のゴミをすくい取るのである。
【発明の効果】
【００７】  この発明は次のような優れた効果を発揮する。
▲１▼歩道など公衆の場からゴミを減らす。そこを行き交う自転車などの乗り物の自浄作      用で、街をきれいにする。
▲２▼自転車に乗ったままで、いちいち乗り物を降りる（離れる）ことなく、ゴミを拾う      。
▲３▼特に意識することなく、すなわち、通勤通学やお使いや遊びをしている間に、知ら      ず知らずに道路清掃する。
【図面の簡単な説明】
【００８】
【図１】本発明の、請求項１を示す斜視図
【図２】本発明の、請求項２を示す斜視図
【図３】本発明の、請求項１を示す平面図
【図４】本発明の、請求項２を示す平面図
【図５】本発明の、請求項１の使用例を示す平面図
【図６】本発明の、請求項２の使用例を示す平面図
【図７】本発明の請求項３の使用例を示す平面図
【発明を実施するための形態】
【００９】  前提として、本発明はまず自転車で考える。発明の目的が歩道のクリーン化であるから、乗り物のうち、そこを一番使う自転車にその任務を担ってほしいと、この発明は考える。もちろん、歩道を使うリヤカーやシルバーカーや車椅子などの軽車両にも、この課題を担ってほしい。これからの老齢者社会を考えるとき、彼らの社会参加の意味を含めて、老齢者の乗り物も参加してほしいと考える。
【０１０】  以上は歩道における道路清掃であるが、目を車道に転ずるとき、そこを走るのはバイクや自動車である。車道の清掃は、専門的には清掃局の道路清掃車がある。しかし該当車両が少ないことで、清掃は一部の道路に限られる。全国津々浦々を走るバイクや自動車が当発明を実行すれば、日本の道路は世界に冠たるクリーンロードとなる。
【０１１】  さて、路上ゴミとはどんな物が多いか考察してみよう。多い順に並べると、植物の落ち葉や枯れ枝、破り捨てられた包装紙やチラシ、インスタント食品の容器やペットボトル、古雑誌、食べ物の残り、動物のフン、タバコの吸い殻などと多岐にわたる。当発明ではこれらのうち、一番その量が多い、植物の落ち葉や紙くずやタバコの吸い殻など、サイズで１０ｃｍ、重さで１００ｇ位までのゴミを清掃する。
【０１２】  図面の第１，第３，第５図を見ながら請求項１を説明する。請求項１は、自転車の車輪運動を利用し、円筒形のバキューム式ゴミ収集機をつくる。
【０１３】  この目的のために、当発明は自転車の車輪フォーク２３と平行に置いて、筒型のゴミ収集器を取り付ける。そこでまず用意するのは、両端を閉じた円筒で、その筒の長さは自転車の車輪半径サイズ以上とする。そのサイズにする理由は、円筒は地面でゴミを拾うが、円筒を自転車の車体に繋ぐ位置が自転車のハブ（車輪の中央にある）であるから、筒の長さサイズは必然的に自転車の車輪半径以上となる。
【０１４】  この円筒の両端の中心部を開口して回転軸受２、２´を止着する。軸受は平軸受と呼ばれるメタル軸受でもいいし、玉軸受と呼ばれるベアリング軸受でもいい。
【０１５】  筒の中で回転する心棒３を、回転軸受２、２´に頭を出して軸着する。この頭を出すことがこの発明のポイントで、この部分で自転車が走るときのタイヤの動きを心棒３がとらえてファンを回し、「路上の掃除器」となるのである。こうしてバキューム筒１０の骨組みが完成する。
【０１６】  ここからバキューム筒１０の内部の構成を説明する。バキューム型掃除器は、ファン１４で器内を減圧し、外気と共にゴミを引き込むが、ゴミがファン１４に絡まないように、必ずフィルターを備える。当発明の路上ゴミ収集器においても、筒内の中央にフィルター壁６を、バキューム筒１０の内壁に止着して設置する。ゴミはフィルター壁６を通過できず、集塵室４に留まる。
【０１７】  このときフィルター壁６が回転する心棒３に触れないよう、フィルター壁６はその中心部を中心孔５として開口して、フィルター壁６は心棒３に触れずに止着している。
【０１８】  バキューム型掃除器の心臓ともいえるファン回転の仕組みをつくる。フィルター壁６と適宜の間隔をとった心棒３上に、フィルター壁６と平行に置くファン１４を少なくとも１基以上、心棒３に止着する。ファンは多いほど筒内を減圧でき、よって路上ゴミを吸引する力が強くなる。
【０１９】  上記のファン１４を取り付けたファン室９の一か所を開口して、排気口１５を設ける。ファン１４で取り入れた空気をここより外に逃がす。
【０２０】  フィルター壁６を境として、ファン室９と反対側は集塵室４であるが、その一か所を開口して、吸気ダクト１２を設ける。ファン１４で器内を減圧して外気とゴミを引き込む口である。吸気ダクト１２は吸引するゴミの大きさ、すなわちサイズで１０ｃｍ、重さで１００ｇを勘案して作る。
【０２１】  ここにはさらに一か所開口して、ゴミ出し口１３を設ける。フィルター壁６は、空気は通過させるがゴミは通過させず、集塵室４に残す。残ったゴミはこのゴミ出し口１３を開けて取り出す。
【０２２】  次に、バキューム筒１０を自転車に懸架する伸縮接続具７をつくり、これをバキューム筒１０外壁の、車輪ハブ２２と接する部位に設置する。車輪ハブ２２は自転車前輪中心にあり、タイヤ１と車輪フォーク２３で支えられ、しっかりとした支えになる。
【０２３】  この伸縮接続具７を説明する。ここで言う「伸縮接続」とは、接続する器具の動作のＯＮ−ＯＦＦを、接続器具を伸縮させて行うことを言う。当発明のバキューム型掃除器は、ゴミの多い場所とかゴミを見つけたときだけ、伸縮接続具７をＯＮにして、自転車をゴミ清掃器として使えばよい。ゴミがない場所を走るときは、伸縮接続具７をＯＦＦにする。このためのＯＮ−ＯＦＦの操作は、バキューム筒１０につけたグリップ２４で行なうので、自転車を走らせながら操作できる。
【０２４】  なおこのバキューム筒１０が据えつけられる自転車上の場所であるが、バキューム筒１０は前輪の、車輪フォーク２３に沿って取り付ける。車輪フォーク２３と平行して付けられるので、車体と一体化して違和感はあまりない。しかし、これを自転車の後輪に設置することも可能である。このときは、後輪のハブがバキューム筒１０支えとなる。
【０２５】  この発明を、実際に製品で使うときは、第５図のようになる。自転車が走りだすとタイヤ１の回転を受けて、心棒３が回転し、心棒３につけたファン１４が高速回転し、ファン室９を減圧し、中の空気を排気口１５から排出する。それにつられて大気が吸気ダクト１２から流れ込み、同時に路上のゴミも集塵室４に引き込むのである。
【０２６】  最後に心棒３の回転スピードを述べると、第５図で分かるように、タイヤ１の直径に比べ、心棒３の直径は小さいので、心棒３は高速回転でファン１４を回し、通常の速さの自転車運転でも、かなり強いバキューム吸引が可能である。
【０２７】  請求項２を、第２図，４図、６図を見ながら説明する。請求項２は自転車の車輪回転を利用する、円筒ブラシ式の路上ゴミ収集器である。
【０２８】  まず、両側の断面を閉じた円筒を用意する。円筒のサイズは、自転車の車輪ハブ２２の巾以上とする。この発明では、円筒を自転車のタイヤ１と「Ｔ」字形に置き、円筒を車輪ハブ２２で支えるためである。
【０２９】  次に、円筒の両断面の中央を貫いて、円筒から外に頭を出した状態に心棒３を設置する。設置した心棒３は、円筒の両断面にしっかり固定する。タイヤ１の回転を円筒が受けたとき、その回転を心棒３に空転なく伝えるためである。なお、心棒３の頭を出すのは、後述するように、車体接続バー２０をここに繋ぐためである。
【０３０】  次に、ブラシ筒１６の円筒部の一部を大きく開口して、ゴミ出し入れ口１７を設ける。ここから路上のゴミを拾い、ある程度のゴミがたまったら、ここから取り出す。
【０３１】  ゴミを拾うためには、その開口辺の一部にブラシ２１を植え付ける。ブラシ２１は樹脂系で剛毛・弾力性ある質材がよい。１０ｃｍほどの長さに揃え、ゴミ出し入れ口１７の辺に植える。
【０３２】  次に、ブラシ筒１６を自転車の車輪ハブ２２に懸架する車体接続バー２０をつくり、それが心棒３に接する部位に回転軸受２を設置する。この回転軸受２に、筒から頭を出した心棒３を軸着する。
【０３３】  次に、車体接続バー２０が車輪のハブ２２に接する部位に伸縮接続具７を設置する。ハブ２２に設置する理由、及びＯＮ−ＯＦＦ機能などは、請求項１で述べた理由と同じである。
【０３４】  以上により、車輪フォーク２３に沿って取り付ける車体接続バー２０を介して、ブラシ筒１６を車輪ハブ２２に係止することができる。
【０３５】  請求項２の使用を説明する。このブラシ式路上ゴミ収集器を使うときは、伸縮接続具７で調整して、ブラシ筒１６を地上より数ｃｍ上の位置にセットして、タイヤ１に接輪する。自転車が走りだすとタイヤ１の回転を受けて、ブラシ筒１６が自転車の車輪と逆回転し、ブラシ２１が路上のゴミをすくい上げ、ブラシ筒１６に入れ、所期の目的を達成する。
【符号の説明】１      タイヤ
２      回転軸受
２´    回転軸受    ´
３      心棒
４      集塵室
５      中心孔
６      フィルター壁
７      伸縮接続具
８      本体接続穴
９      ファン室
１０    バキューム筒
１１    空気の流れ
１２    吸気ダクト
１３    ゴミ出し口
１４    ファン
１５    排気口
１６    ブラシ筒
１７    ゴミ出し入れ口
１８    ブラシ筒のタイヤ接輪部
１９    ブラシ筒の回転方向
２０    車体接続バー
２１    ブラシ
２２    車輪ハブ
２３    車輪フォーク
２４    グリップ
２５    自転車の進行方向
【図１】
2015057335.tif 000003
【図２】
2015057335.tif 000004
【図３】
2015057335.tif 000005
【図４】
2015057335.tif 000006
【図５】
2015057335.tif 000007
【図６】
2015057335.tif 000008
【手続補正書】
【提出日】平成25年10月25日(2013.10.25)
【手続補正２】
【補正対象書類名】明細書
【補正対象項目名】００８
【補正方法】変更
【補正の内容】
【００８】
【図１】本発明の、請求項１を示す斜視図
【図２】本発明の、請求項２を示す斜視図
【図３】本発明の、請求項１を示す平面図
【図４】本発明の、請求項２を示す平面図
【図５】本発明の、請求項１の使用例を示す平面図
【図６】本発明の、請求項２の使用例を示す平面図